(57)【要約】【課題】被覆電線との電気的な接続信頼性を保持することができる接続端子を提供する。【解決手段】相手端子に接続される端子接続部３と、端子接続部３と一体に設けられ芯線５の外周に絶縁被覆７が施された被覆電線９の端末部に接続される電線接続部１１とを備えた接続端子１において、電線接続部１１に、絶縁被覆７から露出する芯線５に加締められる圧着部１３と、圧着部１３より被覆電線９側に配置され絶縁被覆７に食い込む圧接部１５とを設けた。【選択図】図１
2019050121.tif 000002
【特許請求の範囲】
【請求項１】
相手端子に接続される端子接続部と、
前記端子接続部と一体に設けられ芯線の外周に絶縁被覆が施された被覆電線の端末部に接続される電線接続部と、
前記電線接続部に設けられ前記絶縁被覆から露出する前記芯線に加締められる圧着部と、
前記電線接続部に設けられ前記圧着部より前記被覆電線側に配置され前記絶縁被覆に食い込む圧接部と、
を有することを特徴とする接続端子。
【請求項２】
請求項１記載の接続端子であって、
前記電線接続部には、前記圧接部より前記被覆電線側に配置され前記絶縁被覆に加締められる被覆圧着部が設けられていることを特徴とする接続端子。
【請求項３】
請求項１又は２記載の接続端子であって、
前記圧接部は、前記絶縁被覆を突き破り前記芯線に接続されることを特徴とする接続端子。
【発明の詳細な説明】
【技術分野】
【０００１】
本発明は、接続端子に関する。詳細には、被覆電線の端末部に接続される接続端子に関する。
【背景技術】
【０００２】
従来、接続端子としては、相手端子に接続される端子接続部としての本体部と、本体部と一体に設けられ芯線の外周に絶縁被覆が施された被覆電線の端末部に接続される電線接続部としてのワイヤバレルとを備えたものが知られている（例えば、特許文献１参照）。
【０００３】
この接続端子では、ワイヤバレルに、被覆電線の絶縁被覆から露出する芯線に加締められる圧着部と、圧着部より被覆電線の端末部側に配置され被覆電線の絶縁被覆を切開し芯線に接続される圧接部とが設けられている。
【０００４】
このような接続端子では、圧着部を被覆電線の芯線に加締めることにより芯線にワイヤバレルを保持し、圧接部を被覆電線の芯線に接触させることにより芯線の表面に形成された酸化被膜を破壊し、接続端子と被覆電線との電気的な接続を保持している。
【先行技術文献】
【特許文献】
【０００５】
【特許文献１】特開２０１０−５００５１号公報
【発明の概要】
【発明が解決しようとする課題】
【０００６】
しかしながら、上記特許文献１のような接続端子では、圧着部が圧接部より被覆電線側に配置されているので、被覆電線に接続端子から離れる方向に引っ張られるなどの外力が加わると、その外力が圧着部に直接的にかかってしまう。
【０００７】
このため、圧着部に位置する被覆電線の芯線に切れなどが生じる可能性があり、接続端子と被覆電線との電気的な接続信頼性が低下する恐れがあった。
【０００８】
そこで、この発明は、被覆電線との電気的な接続信頼性を保持することができる接続端子の提供を目的としている。
【課題を解決するための手段】
【０００９】
請求項１記載の発明は、相手端子に接続される端子接続部と、前記端子接続部と一体に設けられ芯線の外周に絶縁被覆が施された被覆電線の端末部に接続される電線接続部と、前記電線接続部に設けられ前記絶縁被覆から露出する前記芯線に加締められる圧着部と、前記電線接続部に設けられ前記圧着部より前記被覆電線側に配置され前記絶縁被覆に食い込む圧接部とを有することを特徴とする接続端子である。
【００１０】
この接続端子では、電線接続部に、圧着部より被覆電線側に配置され絶縁被覆に食い込む圧接部が設けられているので、被覆電線に接続端子から離れる方向に引っ張られるなどの外力が加わったとしても、その外力を圧着部より先に圧接部が受ける。
【００１１】
このため、圧着部には、圧接部によって低減された外力が入力されることになり、圧着部に位置する被覆電線の芯線に切れなどが生じることを大幅に抑制することができる。
【００１２】
従って、このような接続端子では、圧接部により圧着部にかかる外力を低減することができ、被覆電線との電気的な接続信頼性を保持することができる。
【００１３】
請求項２記載の発明は、請求項１記載の接続端子であって、前記電線接続部には、前記圧接部より前記被覆電線側に配置され前記絶縁被覆に加締められる被覆圧着部が設けられていることを特徴とする。
【００１４】
この接続端子では、電線接続部に、圧接部より被覆電線側に配置され絶縁被覆に加締められる被覆圧着部が設けられているので、被覆電線に外力が加わったとしても、その外力を圧接部より先に被覆圧着部が受け、圧着部にかかる外力をさらに低減することができる。
【００１５】
また、圧接部は、芯線に加締められる圧着部と絶縁被覆に加締められる被覆圧着部との間に配置されているので、圧接部の絶縁被覆から離れる方向の移動を防止することができ、圧接部が絶縁被覆に食い込んだ状態を安定して保持することができる。
【００１６】
請求項３記載の発明は、請求項１又は２記載の接続端子であって、前記圧接部は、前記絶縁被覆を突き破り前記芯線に接続されることを特徴とする。
【００１７】
この接続端子では、圧接部が、絶縁被覆を突き破り芯線に接続されるので、圧着部と芯線との電気的な接続に加えて、圧接部と芯線とを電気的に接続することができ、被覆電線との電気的な接続信頼性を向上することができる。
【００１８】
また、圧接部は、絶縁被覆を突き破り芯線に接続されるので、芯線の表面に酸化被膜が形成されている場合、圧接部によって酸化被膜を破壊することができ、圧接部と芯線との間に酸化被膜が介在することがなく、被覆電線との電気的な接続信頼性を向上することができる。
【発明の効果】
【００１９】
本発明によれば、被覆電線との電気的な接続信頼性を保持することができる接続端子を提供することができるという効果を奏する。
【図面の簡単な説明】
【００２０】
【図１】本発明の実施の形態に係る接続端子の側面図である。
【図２】本発明の実施の形態に係る接続端子の上面図である。
【図３】本発明の実施の形態に係る接続端子が細物電線に接続されたときの要部拡大断面図である。
【図４】本発明の実施の形態に係る接続端子が太物電線に接続されたときの要部拡大断面図である。
【発明を実施するための形態】
【００２１】
図１〜図４を用いて本発明の実施の形態に係る接続端子について説明する。
【００２２】
本実施の形態に係る接続端子１は、相手端子に接続される端子接続部３と、端子接続部３と一体に設けられ芯線５の外周に絶縁被覆７が施された被覆電線９の端末部に接続される電線接続部１１とを備えている。
【００２３】
そして、電線接続部１１には、絶縁被覆７から露出する芯線５に加締められる圧着部１３と、圧着部１３より被覆電線９側に配置され絶縁被覆７に食い込む圧接部１５とが設けられている。
【００２４】
また、電線接続部１１には、圧接部１５より被覆電線９側に配置され絶縁被覆７に加締められる被覆圧着部１７が設けられている。
【００２５】
さらに、圧接部１５は、絶縁被覆７を突き破り芯線５に接続される。
【００２６】
図１〜図４に示すように、被覆電線９は、銅又は銅合金などの銅系金属、或いはアルミニウム又はアルミニウム合金などのアルミニウム系金属からなる複数の素線が撚られた芯線５と、この芯線５を被覆する絶縁材料からなる絶縁被覆７とを備えている。
【００２７】
この被覆電線９は、端末部において、絶縁被覆７が所定長さ剥がされ、露出した芯線５に対して接続端子１が圧着される。
【００２８】
接続端子１は、銅又は銅合金などの銅系金属からなり、表面に錫やニッケルなどのめっきが施された一枚の板材に対してプレス加工や折り曲げ加工などが施され、端子接続部３と、電線接続部１１とを備えている。
【００２９】
端子接続部３は、折り曲げ加工を施され、内部に接点部を有する弾性変形可能な弾性片（不図示）が配置された箱状の雌型となっている。
【００３０】
この端子接続部３には、相手端子（不図示）のタブ状の雄型の接続部が挿入され、弾性片の接点部と接触することにより、接続端子１と相手端子とが電気的に接続される。
【００３１】
このような端子接続部３は、底板１９を介して電線接続部１１と連続する一部材で形成されている。
【００３２】
電線接続部１１は、圧着部１３と、被覆圧着部１７と、圧接部１５とを備えている。
【００３３】
圧着部１３は、端子接続部３と被覆電線９の引出方向に隣接して配置され、底板１９の両側からそれぞれ連続する一部材で形成された一対の圧着片２１，２１からなる。
【００３４】
この圧着部１３は、治具（不図示）によって一対の圧着片２１，２１を、被覆電線９の芯線５の外周側を包囲するように加締められて芯線５に圧着され、接続端子１と被覆電線９とを電気的に接続する。
【００３５】
被覆圧着部１７は、被覆電線９の引出方向で圧着部１３より被覆電線９側に配置され、底板１９の両側からそれぞれ連続する一部材で形成された一対の加締片２３，２３からなる。
【００３６】
この被覆圧着部１７は、治具（不図示）によって一対の加締片２３，２３を、被覆電線９の絶縁被覆７の外周を包囲するように加締められて絶縁被覆７に固定され、接続端子１と被覆電線９とを固定する。
【００３７】
圧接部１５は、被覆電線９の引出方向で圧着部１３と被覆圧着部１７との間、すなわち圧着部１３より被覆電線９側に配置され、底板１９の両側で圧着部１３と被覆圧着部１７とにわたって立設された側壁２５，２５の内面に連続する一部材で内部に向けて突設された一対の圧接刃２７，２７からなる。
【００３８】
この圧接部１５は、圧着部１３や被覆圧着部１７が治具によって加締められるときに、一対の圧接刃２７，２７が、被覆電線９の絶縁被覆７に食い込み、接続端子１と被覆電線９とを固定する。
【００３９】
このとき、図３に示すように、被覆電線９の芯線５の外径が細く、絶縁被覆７の厚さが厚い、細物電線９ａである場合、圧接部１５の一対の圧接刃２７，２７は、細物電線９ａの絶縁被覆７のみに食い込む。
【００４０】
一方、図４に示すように、被覆電線９の芯線５の外径が太く、絶縁被覆７の厚さが薄い、太物電線９ｂである場合、圧接部１５の一対の圧接刃２７，２７は、太物電線９ｂの絶縁被覆７を突き破り、芯線５まで食い込み、太物電線９ｂの芯線５に電気的に接続される。
【００４１】
このとき、太物電線９ｂの芯線５がアルミニウム又はアルミニウム合金などのアルミニウム系金属からなる場合には、芯線５の表面に形成された酸化被膜が、一対の圧接刃２７，２７によって破壊され、芯線５と一対の圧接刃２７，２７との間に酸化被膜が介在することがなく、接続端子１と被覆電線９との電気的な接続信頼性を向上することができる。
【００４２】
ここで、接続端子１は、例えば、ハウジング（不図示）に形成された端子収容室（不図示）に収容され、ハウジングが相手端子を収容する相手ハウジング（不図示）と嵌合することにより、接続端子１と相手端子とが電気的に接続される。
【００４３】
このハウジングの端子収容室に接続端子１が収容された状態では、端子収容室に設けられた係止ランス（不図示）や端子収容室に挿入されるスペーサ（不図示）などによって接続端子１が係止され、端子収容室からの接続端子１の抜け止めがなされている。
【００４４】
この端子収容室に接続端子１が収容された状態で、被覆電線９に接続端子１から離れる方向に引っ張られるなどの外力が加わると、その外力が圧着部１３にかかり、圧着部１３に位置する被覆電線９の芯線５に切れなどが生じ、接続端子１と被覆電線９との電気的な接続信頼性が低下する可能性があった。
【００４５】
そこで、被覆電線９の絶縁被覆７に食い込む圧接部１５は、被覆電線９の芯線５に加締められる圧着部１３より被覆電線９側に配置されている。
【００４６】
このように圧接部１５を配置することにより、被覆電線９に引っ張りなどの外力が加わったときに、その外力が、まず、圧接部１５に入力された後に、圧着部１３に入力される。
【００４７】
このため、圧接部１５によって圧着部１３に入力される外力を分散して低減することができ、圧着部１３に位置する被覆電線９の芯線５に切れなどが生じることを大幅に抑制し、接続端子１と被覆電線９との電気的な接続信頼性を保持することができる。
【００４８】
加えて、圧接部１５の被覆電線９側には、被覆電線９の絶縁被覆７に加締められる被覆圧着部１７が配置されているので、被覆電線９に引っ張りなどの外力が加わったときに、その外力を、圧着部１３や圧接部１５より先に被覆圧着部１７で受けることができ、さらに圧着部１３に入力される外力を低減することができる。
【００４９】
さらには、圧接部１５は、圧着部１３と被覆圧着部１７との間に配置されているので、圧着部１３と被覆圧着部１７との加締めによって、被覆電線９の絶縁被覆７から離れる方向に変形することがない。
【００５０】
このため、圧接部１５の一対の圧接刃２７が被覆電線９の絶縁被覆７に食い込んだ状態を安定して保持することができ、圧着部１３に加わる外力を安定して低減することができる。
【００５１】
このような接続端子１では、電線接続部１１に、圧着部１３より被覆電線９側に配置され絶縁被覆７に食い込む圧接部１５が設けられているので、被覆電線９に接続端子１から離れる方向に引っ張られるなどの外力が加わったとしても、その外力を圧着部１３より先に圧接部１５が受ける。
【００５２】
このため、圧着部１３には、圧接部１５によって低減された外力が入力されることになり、圧着部１３に位置する被覆電線９の芯線５に切れなどが生じることを大幅に抑制することができる。
【００５３】
従って、このような接続端子１では、圧接部１５により圧着部１３にかかる外力を低減することができ、被覆電線９との電気的な接続信頼性を保持することができる。
【００５４】
また、電線接続部１１には、圧接部１５より被覆電線９側に配置され絶縁被覆７に加締められる被覆圧着部１７が設けられているので、被覆電線９に外力が加わったとしても、その外力を圧接部１５より先に被覆圧着部１７が受け、圧着部１３にかかる外力をさらに低減することができる。
【００５５】
さらに、圧接部１５は、芯線５に加締められる圧着部１３と絶縁被覆７に加締められる被覆圧着部１７との間に配置されているので、圧接部１５の絶縁被覆７から離れる方向の移動を防止することができ、圧接部１５が絶縁被覆７に食い込んだ状態を安定して保持することができる。
【００５６】
また、圧接部１５は、絶縁被覆７を突き破り芯線５に接続されるので、圧着部１３と芯線５との電気的な接続に加えて、圧接部１５と芯線５とを電気的に接続することができ、被覆電線９との電気的な接続信頼性を向上することができる。
【００５７】
さらに、圧接部１５は、絶縁被覆７を突き破り芯線５に接続されるので、芯線５の表面に酸化被膜が形成されている場合、圧接部１５によって酸化被膜を破壊することができ、圧接部１５と芯線５との間に酸化被膜が介在することがなく、被覆電線９との電気的な接続信頼性を向上することができる。
【００５８】
なお、本発明の実施の形態に係る接続端子では、細物電線の場合、圧接部が絶縁被覆のみに食い込んでいるが、これに限らず、細物電線であっても、圧接部が絶縁被覆を突き破り芯線に接続されるようにしてもよい。
【符号の説明】
【００５９】
１…接続端子
３…端子接続部
５…芯線
７…絶縁被覆
９…被覆電線
１１…電線接続部
１３…圧着部
１５…圧接部
１７…被覆圧着部
【図１】
2019050121.tif 000003
【図２】
2019050121.tif 000004
【図３】
2019050121.tif 000005
【図４】
2019050121.tif 000006